(57)【要約】【課題】表示手段に表示される内容の原因が判り易いコンテンツ表示装置を提供する。【解決手段】コンテンツ表示装置では、トリガ部Ｔ１が選択されたときに、トリガ部Ｔ１と共に、トリガ部Ｔ１に予め関連付けされた動画表示部Ｄとが、タッチパネルに表示されるようになっている。これにより、トリガ部Ｔ１の位置と動画表示部Ｄの位置とが離れていても、トリガ部Ｔ１と動画表示部Ｄが泣き別れるのを防ぐことができる。【選択図】図３
2013008285.tif 000002
【特許請求の範囲】
【請求項１】
文字および画像のうちの少なくとも一方を示すトリガ部を表示する表示手段と、
上記トリガ部を選択するための選択手段と、
上記トリガ部が選択されたときに、上記トリガ部と、上記トリガ部に予め関連付けされたアクション部とが、上記表示手段に表示されるように、上記表示手段を制御する表示制御手段と
を備えたことを特徴とするコンテンツ表示装置。
【請求項２】
請求項１に記載のコンテンツ表示装置において、
上記表示制御手段は、
上記トリガ部が選択されたときに、上記トリガ部および上記アクション部と共に、第１実行部が上記表示手段に表示されるように、上記表示手段を制御して、
上記第１実行部が選択されたときに、上記アクション部が上記表示手段に非実行状態で表示される一方、上記トリガ部が上記表示手段に表示されないように、上記表示手段を制御する
ことを特徴とするコンテンツ表示装置。
【請求項３】
請求項１または２に記載のコンテンツ表示装置において、
上記表示制御手段は、
上記トリガ部が選択されたときに、上記トリガ部および上記アクション部と共に、第２実行部が上記表示手段に表示されるように、上記表示手段を制御して、
上記第２実行部が選択されたときに、上記アクション部が上記表示手段に実行状態で表示される一方、上記トリガ部が上記表示手段に表示されないように、上記表示手段を制御する
ことを特徴とするコンテンツ表示装置。
【請求項４】
請求項１から３までのいずれか一項に記載のコンテンツ表示装置において、
上記表示制御手段は、
上記トリガ部が選択されたときに、上記トリガ部および上記アクション部と共に、第３実行部が上記表示手段に表示されるように、上記表示手段を制御して、
上記第３実行部が選択されたときに、上記トリガ部およびコンテンツを表示するウィンドウとは別のウィンドウで上記アクション部が実行された状態が表示されるように、上記表示手段を制御する
ことを特徴とするコンテンツ表示装置。
【請求項５】
請求項１から４までのいずれか一項に記載のコンテンツ表示装置において、
上記表示制御手段は、
上記トリガ部が選択されたときに、上記トリガ部および上記アクション部と共に、戻り部が上記表示手段に表示されるように、上記表示手段を制御して、
上記戻り部が選択されたとき、上記トリガ部が選択される直前の状態が上記表示手段に表示されるように、上記表示手段を制御する
ことを特徴とするコンテンツ表示装置。
【請求項６】
請求項１から５までのいずれか一項に記載のコンテンツ表示装置において、
上記アクション部は動画を表示可能な動画表示部であることを特徴とするコンテンツ表示装置。
【請求項７】
請求項１から５までのいずれか一項に記載のコンテンツ表示装置において、
上記アクション部は、文字および画像のうちの少なくとも一方を示す部分であって、この文字および画像のうちの少なくとも一方を、表示から非表示に切り換えたり、非表示から表示に切り換えたりすることが可能な表示切換部であることを特徴とするコンテンツ表示装置。
【発明の詳細な説明】
【技術分野】
【０００１】
本発明は、例えばパソコンやＰＤＡ（携帯型情報端末）等のコンテンツ表示装置に関する。
【背景技術】
【０００２】
従来、コンテンツ表示装置としては、特許文献１（特開平１０−１８７１１２号公報）に開示されたものがある。このコンテンツ表示装置は、文字を示すトリガ部に予め関連付けされた情報を表示手段の画面サイズに合わせてページ分割する。これにより、上記トリガ部が選択されたときに、このトリガ部に予め関連付けされた情報をページ毎に見ることができる。
【先行技術文献】
【特許文献】
【０００３】
【特許文献１】特開平１０−１８７１１２号公報
【発明の概要】
【発明が解決しようとする課題】
【０００４】
しかしながら、上記従来のコンテンツ表示装置では、トリガ部の位置と、このトリガ部に予め関連付けされた情報の位置とが、同一画面内に表示できないぐらい離れている場合、トリガ部を選択すると、トリガ部が画面から消え、トリガ部に予め関連付けされた情報が画面に表れる。すなわち、上記情報がトリガ部と泣き別れてしまう。したがって、上記情報の表示が何によって起こったのかが判り難くなることがあるという問題があった。
【０００５】
例えば、上記トリガ部の選択によって動画が再生されるようにした場合、トリガ部から動画が離れていると、トリガ部の選択後、トリガ部は表示手段から消え、動画コンテンツの再生が始まる。その結果、上記動画の再生が、トリガ部の選択によるものか、あるいは、他の要因によるものかが判り難い。
【０００６】
そこで、本発明の課題は、表示手段に表示される内容の原因が判り易いコンテンツ表示装置を提供することにある。
【課題を解決するための手段】
【０００７】
上記課題を解決するため、本発明のコンテンツ表示装置は、
文字および画像のうちの少なくとも一方を示すトリガ部を表示する表示手段と、
上記トリガ部を選択するための選択手段と、
上記トリガ部が選択されたときに、上記トリガ部と、上記トリガ部に予め関連付けされたアクション部とが、上記表示手段に表示されるように、上記表示手段を制御する表示制御手段と
を備えたことを特徴としている。
【０００８】
上記構成によれば、ユーザがトリガ部を選択した場合、表示制御手段が表示手段を制御することにより、トリガ部と、このトリガ部に予め関連付けされたアクション部とを、表示手段に表示させることができる。その結果、上記トリガ部とアクション部が泣き別れるのを防ぐことができる。したがって、上記アクション部の表示は、トリガ部の選択によって起こったものであって、他の要因によって行ったものではないことが簡単に判る。
【０００９】
一実施形態のコンテンツ表示装置では、
上記表示制御手段は、
上記トリガ部が選択されたときに、上記トリガ部および上記アクション部と共に、第１実行部が上記表示手段に表示されるように、上記表示手段を制御して、
上記第１実行部が選択されたときに、上記アクション部が上記表示手段に非実行状態で表示される一方、上記トリガ部が上記表示手段に表示されないように、上記表示手段を制御する。
【００１０】
上記実施形態によれば、ユーザがトリガ部を選択した場合、表示制御手段が表示手段を制御することにより、トリガ部、アクション部および第１実行部を表示手段に表示させることができる。
【００１１】
また、ユーザが第１実行部を選択した場合、表示制御手段が表示手段を制御することにより、トリガ部を非表示にできる。したがって、上記トリガ部が表示されていた領域を使ってアクション部を拡大表示できるので、アクション部に関する確認を容易かつ確実に行える。
【００１２】
また、上記第１実行部の実行でパケット代が生じる場合、第１実行部の選択だけでは、第１実行部が実行されないので、第１実行部の不用意な実行でパケット代が発生する事態を回避できる。
【００１３】
また、上記コンテンツ表示装置が例えば低速のインターネット回線に接続されていて、第１実行部の実行により、低速のインターネット回線で動画のストリーミングが開始する場合、第１実行部の選択だけでは、第１実行部が実行されないので、動画のストリーミングをしないという選択ができる。
【００１４】
一実施形態のコンテンツ表示装置では、
上記表示制御手段は、
上記トリガ部が選択されたときに、上記トリガ部および上記アクション部と共に、第２実行部が上記表示手段に表示されるように、上記表示手段を制御して、
上記第２実行部が選択されたときに、上記アクション部が上記表示手段に実行状態で表示される一方、上記トリガ部が上記表示手段に表示されないように、上記表示手段を制御する。
【００１５】
上記実施形態によれば、ユーザがトリガ部を選択した場合、表示制御手段が表示手段を制御することにより、トリガ部、アクション部および第２実行部を表示手段に表示させることができる。
【００１６】
また、ユーザが第２実行部を選択した場合、表示制御手段が表示手段を制御することにより、トリガ部を非表示にできる。したがって、上記トリガ部が表示されていた領域を使ってアクション部を拡大表示できるので、アクション部に関する確認を容易かつ確実に行える。
【００１７】
また、上記第２実行部を選択するだけで、アクション部が実行されるので、ユーザの操作数を減らすことができる。
【００１８】
一実施形態のコンテンツ表示装置では、
上記表示制御手段は、
上記トリガ部が選択されたときに、上記トリガ部および上記アクション部と共に、第３実行部が上記表示手段に表示されるように、上記表示手段を制御して、
上記第３実行部が選択されたときに、上記トリガ部およびコンテンツを表示するウィンドウとは別のウィンドウで上記アクション部が実行された状態が表示されるように、上記表示手段を制御する。
【００１９】
上記実施形態によれば、ユーザがトリガ部を選択した場合、表示制御手段が表示手段を制御することにより、トリガ部、アクション部および第３実行部を表示手段に表示させることができる。
【００２０】
また、ユーザが第３実行部を選択した場合、表示制御手段が表示手段を制御することにより、トリガ部およびコンテンツを表示するウィンドウとは別のウィンドウでアクション部を表示できる。したがって、上記トリガ部およびコンテンツを表示するウィンドウ内の情報を参照しつつ、アクション部を確認できる。
【００２１】
また、上記第３実行部を選択するだけで、アクション部が実行されるので、ユーザの操作数を減らすことができる。
【００２２】
一実施形態のコンテンツ表示装置では、
上記表示制御手段は、
上記トリガ部が選択されたときに、上記トリガ部および上記アクション部と共に、戻り部が上記表示手段に表示されるように、上記表示手段を制御して、
上記戻り部が選択されたとき、上記トリガ部が選択される直前の状態が上記表示手段に表示されるように、上記表示手段を制御する。
【００２３】
上記実施形態によれば、ユーザがトリガ部を選択した場合、表示制御手段が表示手段を制御することにより、トリガ部、アクション部および戻り部を表示手段に表示させることができる。
【００２４】
また、ユーザが戻り部を選択した場合、表示制御手段が表示手段を制御することにより、トリガ部が選択される直前の状態が表示手段に表示させることができる。したがって、上記トリガ部が選択される直前の状態を迅速かつ容易に確認することができる。
【００２５】
一実施形態のコンテンツ表示装置では、
上記アクション部は動画を表示可能な動画表示部である。
【００２６】
上記実施形態によれば、上記アクション部は上記動画表示部であるので、この動画表示部がトリガ部の選択で表示されたことが容易に判る。
【００２７】
一実施形態のコンテンツ表示装置では、
上記アクション部は、文字および画像のうちの少なくとも一方を示す部分であって、この文字および画像のうちの少なくとも一方を、表示から非表示に切り換えたり、非表示から表示に切り換えたりすることが可能な表示切換部である。
【００２８】
上記実施形態によれば、上記アクション部は上記表示切換部であるので、この表示切換部がトリガ部の選択で表示されたことが容易に判る。
【発明の効果】
【００２９】
本発明のコンテンツ表示装置によれば、文字および画像のうちの少なくとも一方からなるトリガ部を表示する表示手段と、このトリガ部を選択するための選択手段と、トリガ部が選択されたときに、トリガ部と共に、上記トリガ部に予め関連付けされたアクション部とが、表示手段に表示されるように、表示手段を制御する表示制御手段とを備えることによって、トリガ部とアクション部が泣き別れるのを防ぐことができるので、アクション部の表示がトリガ部の選択によって起こったものであることが容易に判ることができる。したがって、上記コンテンツ表示装置は、表示手段に表示される内容の原因が判り易くすることができる。
【図面の簡単な説明】
【００３０】
【図１】図１は本発明の一実施の形態のコンテンツ表示装置の図である。
【図２】図２は上記コンテンツ表示装置の制御ブロック図である。
【図３】図３は上記コンテンツ表示装置の動画表示に係る画面の模式図である。
【図４】図４は上記コンテンツ表示装置の正解表示に係る画面の模式図である。
【図５Ａ】図５Ａは上記コンテンツ表示装置の画面表示の制御のフローチャートである。
【図５Ｂ】図５Ｂは上記コンテンツ表示装置の画面表示の制御のフローチャートである。
【図５Ｃ】図５Ｃは上記コンテンツ表示装置の画面表示の制御のフローチャートである。
【図６】図６は図４の変形例の画面の模式図である。
【発明を実施するための形態】
【００３１】
以下、本発明のコンテンツ表示装置を図示の実施の形態により詳細に説明する。
【００３２】
図１は、本発明の一実施形態のコンテンツ表示装置を表側から見た図である。
【００３３】
上記コンテンツ表示装置は、ケーシング１と、表示手段および選択手段の一例としてのタッチパネル２と、バックキー３と、トラックボール４と、ホームキー５とを備えており、電子書籍を読んだり、Ｗｅｂ（ウェッブ）ページを見たりすることができるものである。
【００３４】
上記タッチパネル２は、標準文字，ルビ等といった文字や、画像を表示する機能を有している。ユーザは、バックキー３、トラックボール４およびホームキー５の操作でタッチパネル２の表示を変更できると共に、タッチパネル２の表面を指または接触物（例えばペン）を接触させることにより、タッチパネル２に表示された文字や画像を選択できるようになっている。また、上記タッチパネル２が電子書籍のテキストを表示しているときに、ユーザが、本のページをめくるように、タッチパネル２の表面を指でなぞると、本のページがめくられる様子がタッチパネル２に表示されるようにもなっている。なお、上述のように選択したテキストは電子メールやエディタなどにコピーアンドペーストできるようになっている。
【００３５】
図２は上記コンテンツ表示装置の制御ブロック図である。
【００３６】
上記コンテンツ表示装置は、ＣＰＵ（Central Processing Unit）６、ＲＯＭ（Read Only Memory）７、ＲＡＭ（Random Access Memory）８、通信制御部９、記憶装置１１、傾きセンサ１２、画面用メモリ１３および表示制御部１４なども備えている。なお、上記表示制御部１４は表示制御手段の一例である。
【００３７】
上記ＲＯＭ７は制御プログラムなどを記憶する。このＲＯＭ７に記憶されている制御プログラム等に従って、ＣＰＵ６が動作し、画面用メモリ１３、表示制御部１４および記憶装置１１などの動作を制御する。
【００３８】
上記ＲＡＭ８にはＣＰＵ６が動作する上で必要となる各種データを一時的に記憶する。
【００３９】
上記傾きセンサ１２は、ケーシング１に固定され、ケーシング１の傾きを検出し、傾き検出データをＣＰＵ６に供給する。これにより、上記ＣＰＵ６は、傾きセンサ１２からの傾き検出データに基づいて、画面用メモリ１３や表示制御部１４等も制御できるようになっている。
【００４０】
上記画面用メモリ１３は、ＣＰＵ６に制御されて、タッチパネル２に表示すべき表示データを一時的に記憶する。
【００４１】
上記表示制御部１４は、ＣＰＵ６に制御されて、画面用メモリ１３に記憶された表示データに対応する表示制御信号を生成してタッチパネル２に供給する。
【００４２】
上記タッチパネル２は、表示制御部１４より供給された表示制御信号に従って表示データに対応するテキストや画像などを画面に表示する。
【００４３】
上記通信制御部９は、例えば無線ＬＡＮ（Local Area Network）のアクセスポイント等の外部装置との間の通信を制御し、外部装置から送信されてきたデータをＣＰＵ６に供給する。
【００４４】
上記操作部１０は、バックキー３、トラックボール４およびホームキー５からなり、ユーザの操作に応じた信号をＣＰＵ６に送る。
【００４５】
上記記憶装置１１は、電源がオフされても保存しておきたい各種データを記憶する不揮発性メモリカードであり、ケーシング１に着脱可能になっている。
【００４６】
図３は、上記タッチパネル２に表示されるウィンドウＷ１内の画面Ｖ１１〜Ｖ１４の模式図である。
【００４７】
上記画面Ｖ１１は、「動画を再生します」の文字を示すトリガ部Ｔ１を含んでいる。ここで、ユーザがトリガ部Ｔ１をタップして選択すると、タッチパネル２の画面Ｖ１１が画面Ｖ１２に切り換わる。
【００４８】
上記画面Ｖ１２は、画面Ｖ１１を縮小した画像に相当する縮小画像Ｇ１と、画面Ｖ１３を縮小した画像に相当する縮小画像Ｇ２とを含んでいる。この縮小画像Ｇ１も、画面Ｖ１１と同様に、トリガ部Ｔ１を含んでいる。一方、縮小画像Ｇ２は、トリガ部Ｔ１に予め関連付けされ、動画を再生していない動画再生部Ｄを含んでいる。なお、上記動画再生部Ｄはアクション部の一例である。
【００４９】
また、上記画面Ｖ１２は、「トリガ位置へ」の文字を示す戻り部Ｂ、「アクション位置へ」の文字を示す第１実行部Ｅ１、「アクション位置でアクション実行」の文字を示す第２実行部Ｅ２、および、「別ウィンドウでアクション実行」の文字を示す第３実行部Ｅ３も含んでいる。ここで、ユーザが画面Ｖ１２の戻り部Ｂをタップして選択すると、画面Ｖ１２が画面Ｖ１１に切り換わり、また、第１実行部Ｅ１をタップして選択すると、画面Ｖ１２が画面Ｖ１３に切り換わり、また、第２実行部Ｅ２をタップして選択すると、画面Ｖ１２が画面Ｖ１４に切り換わる。なお、上記画面Ｖ１２から画面Ｖ１１への画面切換はバックキー３を押しても行える。
【００５０】
上記画面Ｖ１３は、動画を再生していない動画再生部Ｄを含んでいる。つまり、上記画面Ｖ１３において、動画再生部Ｄは非実行状態である。この画面Ｖ１３から画面Ｖ１２へはバックキー３を押すことで戻れるようなっているが、画面Ｖ１３に戻り部Ｂと同様の戻り部を設けて、この戻り部の選択で画面Ｖ１２に戻れるようにしてもよい。
【００５１】
上記画面Ｖ１４も動画再生部Ｄを含んでいるが、この動画再生部Ｄは動画を再生している。つまり、上記画面Ｖ１４において、動画再生部Ｄは実行状態である。別の言い方をすれば、上記画面Ｖ１２から画面Ｖ１４に切り換わると、動画再生部Ｄが動画の再生を開始するようになっている。また、上記動画の再生が中止または終了すると、画面Ｖ１４が画面Ｖ１２に自動的に切り換わるようにしているが、上記動画の再生が中止または終了すると、画面Ｖ１４が画面Ｖ１３に自動的に切り換わるようにしてもよい。あるいは、上記動画の再生が中止または終了すると、新たなウィンドウを立ち上げ、このウィンドウにおいて、画面Ｖ１２に切り換えるか、画面Ｖ１３に切り換えるかを、ユーザに選択してもらうようにしてもよい。
【００５２】
また、上記画面Ｖ１２において、ユーザが画面Ｖ１２の第３実行部Ｅ３をタップして選択すると、ウィンドウＷ１とは別のウィンドウＷ２が開く。このウィンドウＷ２内では動画再生部Ｄが実行された状態で表示される。つまり、上記ウィンドウＷ２内の動画再生部Ｄは、ウィンドウＷ２が開くと同時に動画の再生を開始するようになっている。また、上記動画の再生が中止または終了すると、ウィンドウＷ２が自動的に閉じるようになっているが、上記動画の再生が中止または終了しても、ウィンドウＷ２が閉じないで残るようにしてもよい。
【００５３】
このように、ユーザが画面Ｖ１１のトリガ部Ｔ１を選択すると、画面Ｖ１１から画面Ｖ１２に切り換わる。この画面Ｖ１２は、トリガ部Ｔ１と共に、トリガ部Ｔ１に予め関連付けされた動画再生部Ｄとを含んでいるので、トリガ部Ｔ１と動画再生部Ｄが泣き別れていない。したがって、上記動画再生部Ｄの表示は、トリガ部Ｔ１の選択によって起こったものであって、他の要因によって行ったものではないことが簡単に判る。
【００５４】
また、上記画面Ｖ１２が第１実行部Ｅ１も含んでいるので、ユーザは第１実行部Ｅ１を選択して、画面Ｖ１２を画面Ｖ１３に切り換え、動画再生部Ｄを拡大表示できる。したがって、上記動画再生部Ｄに関する確認を容易かつ確実に行える。
【００５５】
もし、上記画面Ｖ１３において、「動画の再生には大量のパケットを消費しますのでパケット定額制のご利用を推奨します」が表示されていれば、パケット定額制を利用してないユーザは動画の再生を思い止まれる。
【００５６】
また、上記画面Ｖ１２が第２実行部Ｅ２も含んでいるので、ユーザは第２実行部Ｅ２を選択して、画面Ｖ１２を画面Ｖ１４に切り換えれば、動画再生部Ｄで動画の再生が自動的に開始される。したがって、ユーザは第２実行部Ｅ２を選択するだけで動画を見ることができる。
【００５７】
また、上記画面Ｖ１４でも動画再生部Ｄを拡大表示できているので、動画再生部Ｄの動画を快適に見ることができる。
【００５８】
また、上記画面Ｖ１２が第３実行部Ｅ３も含んでいるので、ユーザは第３実行部Ｅ３を選択すると、新しいウィンドウＷ２が立ち上がって、ウィンドウＷ２内の動画再生部Ｄで動画の再生が自動的に開始される。したがって、ユーザは第３実行部Ｅ３を選択するだけで動画を見ることができる。
【００５９】
また、上記ウィンドウＷ２内に動画再生部Ｄを表示するので、ウィンドウＷ１内の情報を参照しつつ、動画再生部Ｄの動画を見ることができる。
【００６０】
また、上記画面Ｖ１２が戻り部Ｂも含んでいるので、ユーザは戻り部Ｂを選択して、画面Ｖ１２を画面Ｖ１１に切り換ることができる。したがって、上記画面Ｖ１１の確認を迅速かつ容易に行うことができる。
【００６１】
図４は、上記タッチパネル２に表示されるウィンドウＷ１内の他の画面Ｖ２１〜Ｖ２５を説明するための模式図である。
【００６２】
上記画面Ｖ２１は、「問」の具体的な内容を示す問題表示部Ｑと、「正解を表示」の文字を示すトリガ部Ｔ２とを含んでいる。ここで、ユーザがトリガ部Ｔ２をタップして選択すると、タッチパネル２の画面Ｖ２１が画面Ｖ２２に切り換わる。なお、上記トリガ部Ｔ２は上記「問」の正解を見るためのものである。
【００６３】
上記画面Ｖ２２は、上下２つに分割されていて、上側の部分に、問題表示部Ｑおよびトリガ部Ｔ２を含む一方、下側の部分に、トリガ部Ｔ２に予め関連付けされた正解表示部Ａを含んでいる。ここで、上記正解表示部Ａが示す正解は削除可能なマスクＭで覆って見えないようにしている。なお、上記正解表示部Ａは、アクション部および表示切換部の一例である。また、上記正解表示部Ａが示す正解は文字および画像のうちの少なくとも一方からなる。
【００６４】
また、上記画面Ｖ２２の下側の部分は、「トリガ位置へ」の文字を示す戻り部Ｂ、「アクション位置へ」の文字を示す第１実行部Ｅ１、「アクション位置でアクション実行」の文字を示す第２実行部Ｅ２、および、「現位置でアクション実行」の文字を示す第４実行部Ｅ４も含んでいる。ここで、ユーザが画面Ｖ２２の戻り部Ｂをタップして選択すると、画面Ｖ２２が画面Ｖ２１に切り換わり、また、第１実行部Ｅ１をタップして選択すると、画面Ｖ２２が画面Ｖ２３に切り換わり、また、第２実行部Ｅ２をタップして選択すると、画面Ｖ２２が画面Ｖ２４に切り換わり、また、第４実行部Ｅ４をタップして選択すると、画面Ｖ２２が画面Ｖ２５に切り換わる。なお、上記画面Ｖ２２から画面Ｖ２１への画面切換はバックキー３を押しても行える。
【００６５】
上記画面Ｖ２３は正解表示部Ａを含み、正解表示部Ａが示す正解は削除可能なマスクＭで覆って見えないようにしている。つまり、上記画面Ｖ２３において、正解表示部Ａは非実行状態である。また、上記正解表示部Ａの下側には上記正解に関する解説を示している。このような画面Ｖ２３から画面Ｖ２２へはバックキー３を押すことで戻れるようなっているが、画面Ｖ２３に戻り部Ｂと同様の戻り部を設けて、この戻り部の選択で画面Ｖ２２に戻れるようにしてもよい。
【００６６】
上記画面Ｖ２４は、正解表示部Ａが示す正解を見えるようにしている点のみが画面Ｖ２３と異なっている。つまり、上記画面Ｖ２３において、正解表示部Ａは実行状態である。このような画面Ｖ２４から画面Ｖ２２へはバックキー３を押すことで戻れるようなっているが、画面Ｖ２４に戻り部Ｂと同様の戻り部を設けて、この戻り部の選択で画面Ｖ２２に戻れるようにしてもよい。
【００６７】
上記画面Ｖ２５は、正解表示部Ａが示す正解を見えるようにしている点、および、正解表示部Ａの下側に上記正解に関する解説を示している点だけが、画面Ｖ２２と異なっている。ただし、上記解説の表示量は画面Ｖ２３，Ｖ２４の表示量よりも少なくなっている。この画面Ｖ２５から画面Ｖ２２へはバックキー３を押すことで戻れるようなっているが、画面Ｖ２５に戻り部Ｂと同様の戻り部を設けて、この戻り部の選択で画面Ｖ２２に戻れるようにしてもよい。なお、上記解説は、画面Ｖ２５の下側の部分をスクロールさせて読み進めることができるようになっている。
【００６８】
このように、ユーザが画面Ｖ２１のトリガ部Ｔ２を選択すると、画面Ｖ２１から画面Ｖ２２に切り換わる。この画面Ｖ２２は、トリガ部Ｔ２と共に、トリガ部Ｔ２に予め関連付けされた正解表示部Ａとを含んでいるので、トリガ部Ｔ２と正解表示部Ａが泣き別れていない。したがって、上記正解表示部Ａの表示は、トリガ部Ｔ２の選択によって起こったものであって、他の要因によって行ったものではないことが簡単に判る。
【００６９】
また、上記画面Ｖ２２が第１実行部Ｅ１も含んでいるので、ユーザは第１実行部Ｅ１を選択して、画面Ｖ２２を画面Ｖ２３に切り換え、マスクＭで覆われた正解に関する解説を見ることができる。したがって、ユーザに、正解を見せずに、ヒントだけを与えることができる。
【００７０】
また、ユーザが上記解説だけを見ることを希望しないなら、画面Ｖ２２が第２実行部Ｅ２も含んでいるので、ユーザは第２実行部Ｅ２を選択して、画面Ｖ２２を画面Ｖ２４に切り換えれば、上記正解および解説を見ることができる。
【００７１】
また、上記画面Ｖ２２が第４実行部Ｅ４も含んでいるので、ユーザは第４実行部Ｅ４を選択して、「問」の具体的な内容を見ながら、正解およびこれに関する解説を見ることができる。
【００７２】
以下、図５Ａ〜図５Ｃのフローチャートを参照して、タッチパネル２の画面表示の制御について説明する。
【００７３】
上記制御はウィンドウＷ１が開くとスタートして、まず、図５Ａに示すように、ステップＳ１１０で、縮小表示の指示が有るか否かを判定する。このステップＳ１１０で、縮小表示の指示が有ると判定すると、図５Ｂに示すステップＳ１１１に進む。一方、上記ステップＳ１２０で、縮小表示の指示が無いと判定すると、図５ＡのステップＳ１２０に進む。ここで、上記「縮小表示の指示」の一具体例としては、図３の画面Ｖ１１のトリガ部Ｔ１の選択が挙げられる。
【００７４】
上記ステップＳ１１０からステップＳ１１１に進んだ場合、縮小表示を行う。この「縮小表示」の一具体例としては、図３の画面Ｖ１２の縮小画像Ｇ１，Ｇ２の表示が挙げられる。
【００７５】
次に、ステップＳ１１２で、トリガ部表示を行う。この「トリガ部表示」の一具体例としては、図３の画面Ｖ１２のトリガ部Ｔ１の表示が挙げられる。
【００７６】
次に、ステップＳ１１３で、アクション部表示を行う。この「アクション部表示」の一具体例としては、図３の画面Ｖ１２の動画再生部Ｄの表示が挙げられる。
【００７７】
次に、ステップＳ１１４で、戻り部表示を行う。この「戻り部表示」の一具体例としては、図３の画面Ｖ１２の戻り部Ｂの表示が挙げられる。
【００７８】
次に、ステップＳ１１５で、実行部表示を行う。この「実行部表示」の一例具体例としては、図３の画面Ｖ１２の第１行部Ｅ１、第２実行部Ｅ２および第３実行部Ｅ３の表示が挙げられる。
【００７９】
次に、ステップＳ１１６で、動画再生の指示が有るか否かを判定する。このステップＳ１１６で、動画再生の指示が有ると判定すると、次のステップＳ１１７に進む。一方、ステップＳ１１６で、動画再生の指示が無いと判定すると、再度、ステップＳ１１６を行う。ここで、上記「動画再生の指示」の一具体例としては、図３の画面Ｖ１２の第２行部Ｅ２および第３実行部Ｅ３の選択が挙げられる。
【００８０】
次に、ステップＳ１１７で、動画再生を行う。すなわち、上記動画再生部Ｄで動画を再生する。
【００８１】
次に、ステップＳ１１８で、ウィンドウ閉の指示が有るか否かを判定する。このステップＳ１１８で、ウィンドウ閉の指示が有ると判定すると、上記制御がエンドとなる。一方、上記ステップＳ１１８で、ウィンドウ閉の指示が無いと判定すると、図５Ａに示すステップＳ１１０に戻る。ここで、上記「ウィンドウ閉の指示」の一具体例としては、図３のウィンドウＷ１を閉じる指示が挙げられる。
【００８２】
一方、上記ステップＳ１１０からステップＳ１２０に進んだ場合、分割表示の指示が有るか否かを判定する。このステップＳ１２０で、分割表示の指示が有ると判定すると、次のステップＳ１２１に進む。一方、上記ステップＳ１２０で、分割表示の指示が無いと判定すると、ステップＳ１１０に戻る。ここで、上記「分割表示の指示」の一具体例としては、図４の画面Ｖ２１のトリガ部Ｔ２の選択が挙げられる。
【００８３】
次に、ステップＳ１２１で、画面分割を行う。この「画面分割」の一具体例としては、図４の画面Ｖ２２の上下方向の２分割が挙げられる。
【００８４】
次に、ステップＳ１２２で、トリガ部表示を行う。この「トリガ部表示」の一具体例は、図４の画面Ｖ２２の上側の部分におけるトリガ部Ｔ２の表示ある。
【００８５】
次に、ステップＳ１２３で、アクション部表示を行う。この「アクション部」の一具体例は、図４の画面Ｖ２２の下側の部分における正解表示部Ａの表示が挙げられる。
【００８６】
次に、ステップＳ１２４で、戻り部表示を行う。この「戻り部表示」の一具体例としては、図４の画面Ｖ２２の戻り部Ｂの表示が挙げられる。
【００８７】
次に、ステップＳ１２５で、実行部表示を行う。この「実行部表示」の一具体例としては、図４の画面Ｖ２２の第１行部Ｅ１、第２実行部Ｅ２および第４実行部Ｅ４の表示が挙げられる。
【００８８】
次に、図５Ｃに示すように、ステップＳ１２６で、正解表示の指示が有るか否かを判定する。このステップＳ１２６で、正解表示の指示が有ると判定すると、次のステップＳ１２７に進む。一方、上記ステップＳ１２６で、正解表示の指示が無いと判定すると、再度、ステップＳ１２６を行う。ここで、上記「正解表示の指示」の一具体例とは、図４の画面Ｖ２２の第１行部Ｅ１、第２実行部Ｅ２および第４実行部Ｅ４の選択ある。
【００８９】
次に、ステップＳ１２７で、マスクＭの表示が必要か否を判定する。このステップＳ１２７で、マスクＭの表示が必要だと判定すると、ステップＳ１２８で、正解をマスクＭで覆って表示して、次のステップＳ１３０に進む。一方、上記ステップＳ１２７で、マスクＭの表示が必要でないと判定すると、ステップＳ１２９で、正解をマスクＭで覆わずに表示して、次のステップＳ１３０に進む。ここで、上記ステップＳ１２８の正解表示の一画面例としては、図４の画面Ｖ２３が挙げられる。また、上記ステップＳ１２９の正解表示の一画面例としては、図４の画面Ｖ２４，Ｖ２５が挙げられる。
【００９０】
次に、ステップＳ１３０で、ウィンドウ閉の指示が有るか否かを判定する。このステップＳ１３０で、ウィンドウ閉の指示が有ると判定すると、上記制御がエンドとなる。一方、上記ステップＳ１３０で、ウィンドウ閉の指示が無いと判定すると、図５Ａに示すステップＳ１２０に戻る。ここで、上記「ウィンドウ閉の指示」の一具体例としては、図４のウィンドウＷ２を閉じる指示が挙げられる。
【００９１】
このような制御により、図３の画面Ｖ１１〜Ｖ１４、および、図４の画面２１〜Ｖ２５の表示をスムーズに行うことができる。
【００９２】
なお、図５Ａ〜図５Ｃのフローチャートの処理が行われている最中に、ウィンドウＷ１とは無関係な操作（例えばエディタの起動操作）があれば、上記処理は中止または終了する。
【００９３】
上記実施形態では、タップでトリガ部Ｔ１，Ｔ２等を選択できるようにしていたが、例えば、ポインタを画面に表示できるようにして、クリックでトリガ部Ｔ１，Ｔ２等を選択できるようにしてもよい。あるいは、上記ポインタを画面に表示できるようにして、ポインタがトリガ部Ｔ１，Ｔ２等に重なるだけで、トリガ部Ｔ１，Ｔ２等が選択されるようにしてもよい。
【００９４】
上記実施形態のトリガ部Ｔ１，Ｔ２に換えて、画像を示すトリガ部を用いたり、文字および画像を示すトリガ部を用いたりしてもよい。
【００９５】
上記実施形態では、図３に示す画面Ｖ１２において、ユーザが画面Ｖ１２の第３実行部Ｅ３をタップして選択すると、ウィンドウＷ１とは別のウィンドウＷ２が開くと共に、動画再生部Ｄが動画の再生を開始するようになっているが、ユーザが画面Ｖ１２の第３実行部Ｅ３をタップして選択すると、ウィンドウＷ１とは別のウィンドウＷ２が開くが、動画再生部Ｄは動画の再生を開始しないようにしてもよい。この場合、上記第３実行部Ｅ３の選択によってウィンドウＷ２が開いた直後において、動画再生部Ｄは、動画の最初の部分を表示してもよいし、あるいは、動画の予めコンテンツ作成時に指定したタイミングの部分を表示してもよいし、あるいは、動画の画像とは別の画像であって予めコンテンツ作成時に指定しておいた任意の静止画像を表示してもよい。また、上記第３実行部Ｅ３の選択によってウィンドウＷ２が開いた直後において、ウィンドウＷ２内に動画の再生を示唆するアイコンを表示するようにしてもよい。このアイコンを表示するようにする場合、動画再生部Ｄは、動画の最初の部分を表示してもよいし、あるいは、動画の予めコンテンツ作成時に指定したタイミングの部分を表示してもよいし、あるいは、動画の画像とは別の画像であって予めコンテンツ作成時に指定しておいた任意の静止画像を表示してもよい。このとき、上記アイコンは動画再生部Ｄ上に重なるように表示してもよい。すなわち、上記アイコンは動画再生部Ｄの一部として表示してもよい。
【００９６】
また、ユーザが画面Ｖ１２の第３実行部Ｅ３をタップして選択すると、ウィンドウＷ１とは別のウィンドウＷ２が開くが、動画再生部Ｄは動画の再生を開始しないようにする場合、ウィンドウＷ２をタップやクリックすると、動画再生部Ｄが動画の再生を開始するようにしてもよいし、上述したようなアイコンを表示するなら、アイコンをタップやクリックすると、動画再生部Ｄが動画の再生を開始するようにしてもよい。
【００９７】
上記実施形態では、図４に示す画面Ｖ２５から画面Ｖ２４には直接切り換えることはできないが、図６に示すように、画面Ｖ２５にも第２実行部Ｅ２を設けて、この第２実行部Ｅ２の選択で画面Ｖ２５から画面Ｖ２４には直接切り換えることができるようにしてもよい。このように、上記第２実行部Ｅ２の選択で画面Ｖ２５から画面Ｖ２４に直接切り換えることができるようにした場合は、バックキー３を押すことで画面Ｖ２４から画面Ｖ２５に直接戻れるようにしてもよい。
【００９８】
本発明の具体的な実施形態について説明したが、この発明は上記実施形態に限定されるものではなく、本発明の範囲内で種々変更して実施することができる。例えば、本発明は、ノートパソコン、デスクトップパソコン、携帯電話等のように、コンテンツを表示できる様々な装置に適用できる。
【符号の説明】
【００９９】
２…タッチパネル２
１４…表示制御部
Ａ…正解表示部Ａ
Ｄ…動画再生部Ｄ
Ｅ１…第１実行部
Ｅ２…第２実行部
Ｅ３…第３実行部
Ｔ１，Ｔ２…トリガ部
Ｗ１，Ｗ２…ウィンドウ
【図２】
2013008285.tif 000003
【図３】
2013008285.tif 000004
【図４】
2013008285.tif 000005
【図５Ａ】
2013008285.tif 000006
【図５Ｂ】
2013008285.tif 000007
【図５Ｃ】
2013008285.tif 000008
【図６】
2013008285.tif 000009
【図１】
2013008285.tif 000010